(57)【要約】【課題】  ＬＥＤチップと、このＬＥＤチップの光により励起されて発光する第１の蛍光体とを有する白色ＬＥＤ光源を光源とした照明光学系における色ムラの発生を抑制することのできる照明光学系及びこれを用いた画像読取装置を提供する。【解決手段】  曲面ミラー２２を使用し、この曲面ミラー２２の表面２２ｂにダイクロイックコート層２２Ｄ（第１の反射部）を形成し、曲面ミラー２２の裏面２２ｃに反射層２２Ｍ（第２の反射部）を形成し、ダイクロイックコート層２２Ｄとしてロングパスフィルタ特性を有する構成としている。さらに、曲面ミラー２２の裏面２２ｃの曲率半径Ｒ２を、曲面ミラー２２の表面２２ｂの曲率半径Ｒ１より短い曲率半径としているので、この曲面ミラー２２によって、青色光と黄色光をほぼ同等の照度として被照射部２４を照射することが可能となり、色ムラの発生を適切に抑制することが可能となる。【選択図】図２
2011193205.tif 000002
【特許請求の範囲】
【請求項１】
第１の波長λ１をピーク波長とする光を発光するＬＥＤチップと当該ＬＥＤチップの光により励起されて第１の波長よりも長波長の第２の波長λ２をピークとして発光する第１の蛍光体とを有する白色ＬＥＤ光源を１以上用いる光源と、当該光源からの光を被照射部に偏向させる曲面ミラーとを有する照明光学系であって、
前記曲面ミラーは、前記光源からの光の入射方向から順に第１の反射部と第２の反射部とを有し、前記第１の反射部は前記第１の波長λ１と前記第２の波長λ２に対して波長選択性を有することを特徴とする照明光学系。
【請求項２】
請求項１に記載の照明光学系において、
前記波長選択性は、前記第１の波長λ１の光を０．５以上の反射率で反射し、前記第２の波長λ２の光を０．５未満の反射率で透過させてなされており、かつ前記曲面ミラーは、前記第１の反射部の曲率半径Ｒ１よりも短い第２の曲率半径Ｒ２を有する前記第２の反射部を備えていることを特徴とする照明光学系。
【請求項３】
請求項１に記載の照明光学系において、
前記波長選択性は、前記第２の波長λ２の光を０．５以上の反射率で反射し、前記第１の波長λ１の光を０．５未満の反射率で透過させてなされており、かつ前記曲面ミラーは、第１の反射部の曲率半径Ｒ１と実質的に同一の第２の曲率半径Ｒ２を有する前記第２の反射部を備えていることを特徴とする照明光学系。
【請求項４】
請求項１乃至３のいずれか１項に記載の照明光学系において、
前記波長選択性は、ダイクロイックコート層を前記第１の反射部に形成することによってなされることを特徴とする照明光学系。
【請求項５】
前記１乃至４のいずれか１項に記載の照明光学系において、
前記第１の波長の光は青色光であり、前記第１の蛍光体は黄色蛍光体であることを特徴とする照明光学系。
【請求項６】
請求項１乃至４のいずれか１項に記載の照明光学系において、
前記白色ＬＥＤ光源は、前記ＬＥＤチップの光により励起されて第３の波長λ３をピークとして発光する第２の蛍光体を有し、かつ前記第２の波長λ２＜第３の波長λ３としていることを特徴とする照明光学系。
【請求項７】
請求項１乃至６のいずれか１項に記載の照明光学系において、
前記波長選択性は、反射率が半減するカットオフ波長を前記第１の波長λ１と第２の波長λ２の間に設定した前記第１の反射部でなされることを特徴とする照明光学系。
【請求項８】
請求項６に記載の照明光学系において、
前記第１の波長の光は青色光であり、前記第１の蛍光体は緑色発光蛍光体、前記第２の蛍光体は赤色光発光蛍光体であることを特徴とする照明光学系。
【請求項９】
被撮影体に光を照射する照明光学系と、当該被撮影体を載置するコンタクトガラスと、前記照明光学系から出射される光を反射する複数のミラーと、前記複数のミラーによって反射された光を撮像素子に結像させるレンズとを備えた画像読取装置において、
前記照明光学系は、請求項１乃至８のいずれか１項に記載の照明光学系であり、前記白色ＬＥＤ光源は、画像読取の主走査方向に複数配列されたことを特徴とする画像読取装置。
【請求項１０】
請求項９に記載の画像読取装置において、
前記照明光学系の読取光軸を挟んで前記照明光学系の光線を反射して前記被撮影体に照射する反射鏡を配置したことを特徴とする画像読取装置。
【請求項１１】
請求項１０記載の画像読取装置において、
前記反射鏡は、前記照明光学系の光源からの光の入射方向から順に第３の反射部と第４の反射部とを有し、前記第３の反射部は前記第１の波長λ１と前記第２の波長λ２に対して波長選択性を有することを特徴とする画像読取装置。
【請求項１２】
請求項９乃至１１のいずれか１項に記載の画像読取装置において、
前記照明光学系が読取光軸を挟んで対向して配設され、それぞれの前記照明光学系から出射される光の被撮影体からの反射光が前記読取光軸上で反射されることを特徴とする画像読取装置。
【発明の詳細な説明】
【技術分野】
【０００１】
本発明は、白色ＬＥＤ（Ｌｉｇｈｔ  Ｅｍｉｔｔｉｎｇ  Ｄｉｏｄｅ）を光源とする照明光学系と、この照明光学系を用いた画像読取装置に関する。
【背景技術】
【０００２】
近年、ＬＥＤの開発が活発に行われており、ＬＥＤ素子の明るさは急激に高まっている。ＬＥＤは、一般的に、長寿命、高効率、単色発光等の利点を有しており、多くの照明分野への応用が期待されている。
【０００３】
そのＬＥＤの用途として、デジタル複写機やイメージスキャナのような画像読取装置の照明光学系として使用されている。このような画像読取装置の照明光学系としては、原稿の主走査方向と平行に複数のＬＥＤを配列した白色ＬＥＤからの光を原稿面にライン状に照明する方法が採用されている。そして、白色ＬＥＤとしては、現在、白色ＬＥＤパッケージと呼ばれる青色光発光ＬＥＤチップと黄色蛍光体で構成された、いわゆる擬似白色ＬＥＤと呼ばれるタイプが使用されている。青色光発光ＬＥＤチップは蛍光体に比べ小さく、しかも、蛍光体よりも原稿面に対して内奥に配置されるために、原稿を照明する光は副走査方向に青色光と黄色光で照度分布が異なり、従って副走査方向に色ムラが生じる。
【０００４】
この色ムラの発生について、図１５に基づいて説明する。図１５は、従来の白色ＬＥＤ光源を使用した照明光学系における青色光発光ＬＥＤチップによる被照射部における照度分布（ａ）及び黄色蛍光体による照度分布（ｂ）を説明する図である。
【０００５】
青色光発光ＬＥＤチップ１１Ｂは、図１５（ａ）に示すように、比較的小さい点光源となっているために、青色光発光ＬＥＤチップ１１Ｂから照射される青色光は、曲面ミラー１２によってその反射光１３Ｂが平行光となって被照射部１４を照明することが出来る。このとき、被照射部１４の青色光は、図１５（ａ）に示すような照度分布１５Ｂを示し、被照射部１４の副走査方向Ｂの中央部で大きな照度を示し、被照射部１４の副走査方向Ｂの端部で小さい照度を示す。一方、黄色蛍光体１１Ｙで発光される黄色光は、青色光発光ＬＥＤチップから発光された青色光によって励起された光線となるが、青色光発光ＬＥＤより発光面積の大きな面光源１１Ｙとなるために、図１５（ｂ）で示すように、面光源１１Ｙから出射される位置によって反射光の進む方向が異なる反射光１３Ｙａ、１３Ｙｂ、１３Ｙｃとなり、副走査方向Ｂで拡散することになる。その結果、被照射部１４における黄色光の照度分布は、符号１５Ｙで示すように、被照射部１４の副走査方向Ｂで拡散したものとなり、被照射部１４の副走査方向の端縁で黄色が強いものとなり、副走査方向Ｂで色ムラが発生する。このような問題は、青色光発光ＬＥＤチップと緑色光および赤色光発光の蛍光体からなる高演色ＬＥＤでも青色光の照度分布が緑色光と赤色光の照度分布に比べて大きく異なるため、副走査方向に色ムラが発生する。なお、ＬＥＤを収納するＬＥＤパッケージとして、ＬＥＤチップを蛍光体で被覆した表面実装型やレンズが付加された砲弾型においても同様な色ムラの問題が発生する。
【０００６】
このような色ムラの問題に対応するために、ＬＥＤ素子に対応した窓部を有するマスク部材を光源に対して配設して、マスク部材の窓部で光源の照明角度を狭めることにより光量ムラを抑制しつつ色ムラを低減することが提案されている（例えば、特許文献１参照）。しかしながら、この特許文献１記載のものでは、光源から出射された光の一部がマスク部材で遮蔽されることになるため、光の利用効率が低下する問題を招く。
【０００７】
また、光の利用効率を上げるために、光源の近傍に、この光源の長手方向と平行のその横断面の内面を凹曲線状に形成した反射鏡を、読取光軸の両側に２個独立してそれらの内面が前記光源に望むように設け、前記光源からの照射光を読取原稿の読取面に集中的に反射させることが提案されている（例えば、特許文献２参照）。しかしながら、この特許文献２記載のものでは、光源として、赤、緑、青の色相の光を発光するそれぞれのＬＥＤを使用して、これらのＬＥＤから出射された光を、内面を凹曲線状に形成した反射鏡で反射しているので、赤、緑、青の色相の光を発光するＬＥＤの光源に代えて青色光発光ＬＥＤチップと黄色蛍光体で構成された白色ＬＥＤ光源を使用する場合には、上記色ムラの問題を解決することができない。
【発明の概要】
【発明が解決しようとする課題】
【０００８】
本発明は、上記事情に鑑みてなされたものであって、第１の波長λ１をピーク波長とする光を発光するＬＥＤチップと、このＬＥＤチップの光により励起されて第１の波長よりも長波長の第２の波長λ２をピークとして発光する第１の蛍光体とを有する白色ＬＥＤ光源を光源とした照明光学系における色ムラの発生を抑制することのできる照明光学系及びこれを用いた画像読取装置を提供することを目的とする。
【課題を解決するための手段】
【０００９】
上記課題を解決するために、請求項１に記載の発明は、第１の波長λ１をピーク波長とする光を発光するＬＥＤチップと当該ＬＥＤチップの光により励起されて第１の波長よりも長波長の第２の波長λ２をピークとして発光する第１の蛍光体とを有する白色ＬＥＤ光源を１以上用いる光源と、当該光源からの光を被照射部に偏向させる曲面ミラーとを有する照明光学系であって、
前記曲面ミラーは、前記光源からの光の入射方向から順に第１の反射部と第２の反射部とを有し、前記第１の反射部は前記第１の波長λ１と前記第２の波長λ２に対して波長選択性を有することを特徴とする。
【００１０】
また、請求項２の発明は、請求項１に記載の照明光学系において、
前記波長選択性は、前記第１の波長λ１の光を０．５以上の反射率で反射し、前記第２の波長λ２の光を０．５未満の反射率で透過させてなされており、かつ前記曲面ミラーは、前記第１の反射部の曲率半径Ｒ１よりも短い第２の曲率半径Ｒ２を有する前記第２の反射部を備えていることを特徴とする。
【００１１】
また、請求項３の発明は、請求項１に記載の照明光学系において、
前記波長選択性は、前記第２の波長λ２の光を０．５以上の反射率で反射し、前記第１の波長λ１の光を０．５未満の反射率で透過させてなされており、かつ前記曲面ミラーは、第１の反射部の曲率半径Ｒ１と実質的に同一の第２の曲率半径Ｒ２を有する前記第２の反射部を備えていることを特徴とする。
【００１２】
また、請求項４の発明は、請求項１乃至３のいずれか１項に記載の照明光学系において、
前記波長選択性は、ダイクロイックコート層を前記第１の反射部に形成することによってなされることを特徴とする。
【００１３】
また、請求項５の発明は、前記１乃至４のいずれか１項に記載の照明光学系において、
前記第１の波長の光は青色光であり、前記第１の蛍光体は黄色蛍光体であることを特徴とする。
【００１４】
また、請求項６の発明は、請求項１乃至４のいずれか１項に記載の照明光学系において、前記白色ＬＥＤ光源は、前記ＬＥＤチップの光により励起されて第３の波長λ３をピークとして発光する第２の蛍光体を有し、かつ前記第２の波長λ２＜第３の波長λ３としていることを特徴とする。
【００１５】
また、請求項７の発明は、請求項１乃至６のいずれか１項に記載の照明光学系において、前記波長選択性は、反射率が半減するカットオフ波長を前記第１の波長λ１と第２の波長λ２の間に設定した前記第１の反射部でなされることを特徴とする。
【００１６】
また、請求項８の発明は、請求項６に記載の照明光学系において、
前記第１の波長の光は青色光であり、前記第１の蛍光体は緑色発光蛍光体、前記第２の蛍光体は赤色光発光蛍光体であることを特徴とする。
【００１７】
また、請求項９の発明は、被撮影体に光を照射する照明光学系と、当該被撮影体を載置するコンタクトガラスと、前記照明光学系から出射される光を反射する複数のミラーと、前記複数のミラーによって反射された光を撮像素子に結像させるレンズとを備えた画像読取装置において、
前記照明光学系は、請求項１乃至８のいずれか１項に記載の照明光学系であり、前記白色ＬＥＤ光源は、画像読取の主走査方向に複数配列されたことを特徴とする。
【００１８】
また、請求項１０の発明は、請求項９に記載の画像読取装置において、
前記照明光学系の読取光軸を挟んで前記照明光学系の光線を反射して前記被撮影体に照射する反射鏡を配置したことを特徴とする。
【００１９】
また、請求項１１の発明は、請求項１０記載の画像読取装置において、
前記反射鏡は、前記照明光学系の光源からの光の入射方向から順に第３の反射部と第４の反射部とを有し、前記第３の反射部は前記第１の波長λ１と前記第２の波長λ２に対して波長選択性を有することを特徴とする。
【００２０】
また、請求項１２の発明は、請求項９乃至１１のいずれか１項に記載の画像読取装置において、前記照明光学系が読取光軸を挟んで対向して配設され、それぞれの前記照明光学系から出射される光の被撮影体からの反射光が前記読取光軸上で反射されることを特徴とする。
【発明の効果】
【００２１】
本発明によれば、前記曲面ミラーは、前記光源からの光の入射方向から順に第１の反射部と第２の反射部とを有し、前記第１の反射部は前記第１の波長λ１と前記第２の波長λ２に対して波長選択性を有することによって、第１の波長λ１をピーク波長とする光を発光するＬＥＤチップと、このＬＥＤチップの光により励起されて第１の波長よりも長波長の第２の波長λ２をピークとして発光する第１の蛍光体とを有する白色ＬＥＤ光源を光源とした照明光学系における色ムラの発生を抑制することのできる照明光学系及びこれを用いた画像読取装置を提供することができる。
【図面の簡単な説明】
【００２２】
【図１】本発明による第１実施形態に係る照明光学系で使用される光源の概略構成を示す縦断面図である。
【図２】本発明による第１実施形態に係る照明光学系の概略構成を示す断面図で、（ａ）は、青色光発光ＬＥＤからの光線軌跡を示す図で、（ｂ）は、黄色光の光線軌跡を示す図である。
【図３】図１で示す光源で出射される光の発光スペクトルとスペクトル強度の関係及び第１実施形態で使用されるダイクロイックコート層の反射率と光の波長との関係を示すグラフ図である。
【図４】本発明による第２実施形態に係る照明光学系で使用される光源の概略構成を示す縦断面図である。
【図５】高演色タイプの白色ＬＥＤ光源で出射される光の発光スペクトルとスペクトル強度の関係及び第１実施形態で使用されるダイクロイックコート層の反射率と光の波長との関係を示すグラフ図である。
【図６】本発明による第３実施形態に係る照明光学系の概略構成を示す断面図で、（ａ）は、青色光発光ＬＥＤからの光線軌跡を示す図で、（ｂ）は、黄色光の光線軌跡を示す図である。
【図７】図１で示す白色ＬＥＤ光源で出射される光の発光スペクトルとスペクトル強度の関係及び第１実施形態で使用されるダイクロイックコート層の反射率と光の波長との関係を示すグラフ図である。
【図８】本発明による第１実施形態に係る画像読取装置の概略構成を示す縦断面図である。
【図９】図９は、本発明による第２実施形態に係る画像読取装置で使用される曲面ミラーの概略構成を示す縦断面図で、（ａ）は、表面にダイクロイックコート層を形成した透光性基板と、表面に反射層を形成した基板とに分解した曲面ミラーの分解断面図、（ｂ）は、（ａ）で示す透光性基板と基板を接合した曲面ミラーの断面図である。
【図１０】本発明による第２実施形態に係る画像読取装置の概略構成を示す縦断面図である。
【図１１】本発明による第３実施形態に係る画像読取装置の概略構成を示す縦断面図である。
【図１２】本発明による第４実施形態に係る画像読取装置の概略構成を示す縦断面図である。
【図１３】本発明による第５実施形態に係る画像読取装置の概略構成を示す縦断面図である。
【図１４】本発明による第６実施形態に係る画像読取装置の概略構成を示す縦断面図である。
【図１５】従来の白色ＬＥＤ光源を使用した照明光学系における青色光発光ＬＥＤチップによる被照射部における照度分布（ａ）及び黄色蛍光体による照度分布（ｂ）を説明する図である。
【発明を実施するための形態】
【００２３】
以下、本発明による第１実施形態に係る照明光学系について、図１〜図３に基づいて説明する。図１は、本発明による第１実施形態に係る照明光学系で使用される光源の概略構成を示す縦断面図である。図２は、本発明による第１実施形態に係る照明光学系の概略構成を示す断面図で、（ａ）は、青色光発光ＬＥＤからの光線軌跡を示す図で、（ｂ）は、黄色光の光線軌跡を示す図である。図３は、図１で示す光源で出射される光の発光スペクトルとスペクトル強度の関係及び第１実施形態で使用されるダイクロイックコート層の反射率と光の波長との関係を示すグラフ図である。
【００２４】
本発明による第１実施形態に係る照明光学系２０で使用される白色ＬＥＤ光源２１としては、図１に示すように、樹脂パッケージ２１ａに青色光を発光する青色光発光ＬＥＤチップ２１Ｂ（例えば、ＩｎＧａＮを用いた青色光発光ＬＥＤチップ）が内包され、この青色光発光ＬＥＤチップ２１Ｂの周囲を黄色の波長帯の黄色光を発光させる黄色光発光蛍光体（例えば、ＹＡＧ：Ｃｅ）２１Ｙで被覆しているものが使用される。青色光発光ＬＥＤチップ２１Ｂに電流を流すと、第１の波長λ１をピーク波長とする青色光を発光させて所定角度αで出射する。この場合、青色光を発光する青色光発光ＬＥＤチップ２１Ｂのチップ径ｄ１は、０．２ｍｍである。このようにして発光された青色光によって励起されて第１の波長λ１よりも長波長の第２のピーク波長λ２をピークとして発光する第１の蛍光体である黄色光発光蛍光体２１Ｙの直径ｄ２（２ｍｍ）の発光面から黄色光が発光されて、波長が４００ｎｍから７００ｎｍの可視光領域の波長を含む白色光が光源２１から出射されることになる。
【００２５】
このような光源２１を用いた画像読取装置（後述する）の照明光学系について、図２及び図３に基づいて説明する。この照明光学系２０は、図２（ａ）に示すように、白色ＬＥＤ光源の１つを構成する青色光発光ＬＥＤチップ２１Ｂから出射された青色光を反射して反射光２５をコンタクトガラス２３の被照射部２４を照射する曲面ミラー２２を備えている。曲面ミラー２２は、図２（ａ）に示すように、断面形状が凹面シリンドリカル形状の表面２２ｂと凸面シリンドリカルレンズ形状の裏面２２ｃを有し、これらの表面２２ｂ及び裏面２２ｃがコンタクトガラス２３上に載置される原稿等の被撮影体の主走査方向に延びる３．２ｍｍ厚のガラス等の透光性基板２２ａを備えている。そして、曲面ミラー２２は、透光性基板２２ａの表面２２ｂにその曲面形状に沿った約１５μｍ厚のダイクロイックコート層２２Ｄが形成され、裏面２２ｃにその裏面形状に沿った内面を有するアルミコートされた光反射層２２Ｍを有している。
【００２６】
ダイクロイックコート層２２Ｄには次のような特性を持たせている。図３に示すように、この実施形態で使用される白色ＬＥＤ光源２１の発光スペクトル１１１は、青色光発光ＬＥＤチップ２１Ｂから発光する第１の波長λ１をピーク波長とする青色光の波長域と、黄色光発光蛍光体２１Ｙから出射される第２の波長λ２を有する黄色光の波長域との間にスペクトル強度が極小なる波長１１１ａが存在する。ダイクロイックコート層２２Ｄは、この極小波長１１１ａの近傍でダイクロイックコート層２２Ｄの反射率１１２が半減するカットオフ波長１１３となるような波長特性１１２を有するように設定されている。即ち、波長４９０ｎｍより短い光が０．５以上の高反射率で、４９０ｎｍより長波長側の光を高透過率（反射率が０．５未満の低反射率）となるような特性（いわゆるロングパスフィルタ）を有している。従って、ダイクロイックコート層２２Ｄは、第１ピーク波長λ１を有する青色光を反射し、第２ピーク波長λ２を有する黄色光を透過するようになり、光の波長によって、反射及び透過を選択可能な波長選択性を有している。このような特性を有するダイクロイックコート層２２Ｄは、異なる屈折率を有する材料（例えば、ＳｉＯ２とＴｉＯ２）を周期的に数十ｎｍ単位で積層させた多層体とすることによって容易に得ることができる。
【００２７】
そして、曲面ミラー２２の表面２２ｂの曲率半径Ｒ１が、図２（ａ）に示すように、青色光発光ＬＥＤチップ２１Ｂから出射された青色光が曲面ミラー２２の表面２２ｂ上に形成されたダイクロイックコート層２２Ｄによって反射され、その反射光２５がほぼ平行光となって被照射部２４を照射するような曲率半径を有するように形成されている。例えば、この場合には、曲面ミラー２２の表面２２ｂの曲率半径Ｒ１は１７．８ｍｍである。従って、被照射部２４には、青色光が高効率で照射されることになる。
【００２８】
一方、白色ＬＥＤ光源２１の他の構成成分である黄色光は、図２（ｂ）に示すように、所定の直径（この例では、２ｍｍ）を有する面光源として出射される。そして、前述の図３で示したように、黄色光は、ダイクロイックコート層２２Ｄで屈折されながら透過し、曲面ミラーの裏面２２ｂに形成された反射層２２Ｍによって反射され、ダイクロイックコート層２２Ｄを透過した反射光２６として被照射部２４に照射される。この場合、図２（ｂ）に示すように、反射光２６が被照射部２４に集光されるように、反射層２２Ｍの内面を形成する曲面ミラー２２の裏面２２ｃの曲率半径Ｒ２が設定されている。例えば、この例においては、１７．８ｍｍである。従って、副走査方向Ｂにおける被照射部２４に照射される黄色光の拡散が抑制され、青色光の照度とほぼ同等になり色ムラの発生を抑制することができる。
【００２９】
曲面ミラー２２は、シリンドリカルレンズを作製する場合と同様にして、透光性基板２２ａの片面を研磨して一つ目のシリンドリカル面を加工し、次に、反対側の面を研磨し所望のシリンドリカル面の加工を施すことによって容易に製造することができる。また、透光性基板２２ａの表面２２ｂには所望のロングパスフィルタ特性が得られる誘電体多層膜からなるダイクロイックコート層２２Ｄを成膜し、反対側の裏面２２ｃには、アルミニウムを蒸着することで反射層２２Ｍを得ることができる。
【００３０】
このように、この第１実施形態に係る照明光学系２０においては、曲面ミラー２２を使用し、この曲面ミラー２２の表面２２ｂにダイクロイックコート層２２Ｄ（第１の反射部）を形成し、曲面ミラー２２の裏面２２ｃに反射層２２Ｍ（第２の反射部）を形成し、ダイクロイックコート層２２Ｄとしてロングパスフィルタ特性を有する構成としている。さらに、曲面ミラー２２の裏面２２ｃの曲率半径Ｒ２を、曲面ミラー２２の表面２２ｂの曲率半径Ｒ１より短い曲率半径としているので、この曲面ミラー２２によって、青色光と黄色光をほぼ同等の照度として被照射部２４を照射することが可能となり、色ムラの発生を適切に抑制することが可能となる。
【００３１】
また、白色ＬＥＤ光源としては、青色光発光ＬＥＤを内包する表面実装型とレンズが装着された砲弾型のタイプがあるが、どちらのタイプであっても上記ダイクロイックコート層２２Ｄによる作用、効果を達成することが可能であり、両タイプで色ムラを低減できる。また、シリンドリカルレンズ面は自由曲面形状であっても良い。
【００３２】
次に、本発明による第２実施形態に係る照明光学系について、図４及び図５に基づいて説明する。図４は、本発明による第２実施形態に係る照明光学系で使用される光源の概略構成を示す縦断面図である。図５は、高演色タイプの白色ＬＥＤ光源で出射される光の発光スペクトルとスペクトル強度の関係及び第１実施形態で使用されるダイクロイックコート層の反射率と光の波長との関係を示すグラフ図である。
【００３３】
この第２実施形態に係る照明光学系２０１は、前述の第１実施形態に係る照明光学系２０と、基本的には、白色ＬＥＤ光源が相違している。そして、白色ＬＥＤ光源２０２は、図４に示すように、樹脂パッケージ２０２ａに青色光を発光する青色光発光ＬＥＤチップ２０２Ｂが内包され、この青色光発光ＬＥＤチップ２０２Ｂの周囲を緑色の波長帯の緑色光を発光させる緑色光発光蛍光体２０２Ｇ及び赤色の波長帯の赤色光を発光させる赤色光発光蛍光体２０２Ｒで被覆しているものが使用される。青色光発光ＬＥＤチップ２０２Ｂに電流を流すと、第１の波長λ１をピーク波長とする青色光を発光させて所定角度αで出射する。この場合、青色光を発光する青色光発光ＬＥＤチップ２１Ｂのチップ径ｄ１は、０．２ｍｍである。このようにして発光された青色光によって励起されて第１の波長λ１よりも長波長の第２のピーク波長λ２を有する緑色光を発光する第１の蛍光体である緑色光発光蛍光体２０２Ｇ及び第３のピーク波長λ３をピークとする赤色光を発光する第２の蛍光体である赤色発光蛍光体２０２Ｒの直径ｄ２（２ｍｍ）の発光面２０２ｂから緑色光及び赤色光が発光されて、波長が４００ｎｍから８００ｎｍの可視光領域の波長を含む高演色タイプの白色光が光源２０２から出射されることになる。この場合、緑色高発光蛍光体２０２Ｇ及び赤色光発光蛍光体２０２Ｒとしては、例えば、ＩｎＧａＮを用いた青色光発光ＬＥＤから発光される青色光によって励起されてそれぞれ緑色光及び赤色光を発光する公知の蛍光体を使用することができる。
【００３４】
このような白色ＬＥＤ光源２０２は、図５に示すような波長スペクトル１２１を有しており、青色光発光ＬＥＤチップ２０２Ｂから発光する第１の波長λ１をピーク波長とする青色光の波長域と、緑色光発光蛍光体２０２Ｇから出射される第２の波長λ２を有する黄色光の波長域及び赤色光発光蛍光体２０２Ｒから出射される第３の波長λ３との間にスペクトル強度が極小なる波長１２１ａが存在する。そして、第２実施形態に係る照明光学系２０１においては、前述の第１実施形態の照明光学系２０と同様に、図２（ａ）に示すように、白色ＬＥＤ光源の１つを構成する青色光発光ＬＥＤチップ２０１Ｂ（図２（ａ）の２１Ｂとして表示）から出射された青色光を反射して反射光２５（図２（ａ）参照）をコンタクトガラス２３（図２（ａ）参照）の被照射部２４（図２（ａ）参照）を照射する曲面ミラー２２（図２（ａ）参照）を備えている。曲面ミラー２２は、図２（ａ）に示すように、断面形状が凹面シリンドリカル形状の表面２２ｂ（図２（ａ）参照）と凸面シリンドリカルレンズ形状の裏面２２ｃ（図２（ａ）参照）を有し、これらの表面２２ｂ及び裏面２２ｃがコンタクトガラス２３上に載置される原稿等の被撮影体の主走査方向に延びる３．２ｍｍ厚のガラス等の透光性基板２２ａ（図２（ａ）参照）を備えている。そして、曲面ミラー２２は、透光性基板２２ａの表面２２ｂにその曲面形状に沿った約１５μｍ厚のダイクロイックコート層２２Ｄ（図２（ａ）参照）が形成され、裏面２２ｃにその裏面形状に沿った内面を有するアルミコートされた光反射層２２Ｍ（図２（ａ）参照）を有している。
【００３５】
ダイクロイックコート層２２Ｄ（図２参照）は、図５に示すように、極小波長１２１ａの近傍でダイクロイックコート層２２Ｄの反射率１１２が半減するカットオフ波長１２３となるような波長特性１２２を有するように設定されている。即ち、波長４９０ｎｍより短い光が０．５以上の高反射率で、４９０ｎｍより長波長側の光を高透過率（反射率が０．５未満の低反射率）となるような特性（いわゆるロングパスフィルタ）を有している。従って、前述の第１実施形態の場合と同様に、青色光は、ダイクロイックコート層２２Ｄで反射され、緑色光及び赤色光は、ダイクロイックコート層２２Ｄを透過し、曲面ミラー２２の反射層２２Ｍで反射されることになる。
【００３６】
また、曲面ミラー２２は、前述の第１実施形態と同様に、反射光２５（図２（ａ）参照）が平行光となって被照射部２４（図２（ａ）参照）に照射されるような曲面ミラー２２の表面２２ｂの曲率半径Ｒ１を有し、緑色光と赤色光の反射光２６（図２（ｂ）参照）が被照射部２４に集光されるような曲面ミラー２２の裏面２２ｃの曲率半径Ｒ２を有している。例えば、Ｒ１は、１７．８ｍｍで、Ｒ２はＲ１と同一の曲率半径（１７．８ｍｍ）となっている。従って、曲面ミラー２２によって、青色光と緑色光と赤色光をほぼ同等の照度として被照射部２４を照射することが可能となり、色ムラの発生を適切に抑制することが可能となる。
【００３７】
また、白色ＬＥＤ光源としては、青色光発光ＬＥＤを内包する表面実装型とレンズが装着された砲弾型のタイプがあるが、どちらのタイプであっても上記ダイクロイックコート層２２Ｄによる作用、効果を達成することが可能であり、両タイプで色ムラを低減できる。また、シリンドリカルレンズ面は自由曲面形状であっても良い。
【００３８】
次に、本発明による第３実施形態に係る照明光学系について、図６及び図７に基づいて説明する。図６は、本発明による第３実施形態に係る照明光学系の概略構成を示す断面図で、（ａ）は、青色光発光ＬＥＤからの光線軌跡を示す図で、（ｂ）は、黄色光の光線軌跡を示す図である。図７は、図１で示す白色ＬＥＤ光源で出射される光の発光スペクトルとスペクトル強度の関係及び第１実施形態で使用されるダイクロイックコート層の反射率と光の波長との関係を示すグラフ図である。なお、前述の実施形態と同一構成については、同一符号を付して説明を省略する。
【００３９】
この第３実施形態に係る照明光学系３０は、前述の第１実施形態で使用された白色ＬＥＤ光源２１が使用されるが、第１実施形態とは、曲面ミラーの構成が相違している。この第３実施形態に係る照明光学系３０で使用される曲面ミラー３２は、図６（ａ）に示すように、断面形状が凹面シリンドリカル形状の表面３２ｂと凸面シリンドリカルレンズ形状の裏面３２ｃを有し、これらの表面３２ｂ及び裏面３２ｃがコンタクトガラス２３上に載置される原稿等の被撮影体の主走査方向に延びる３．２ｍｍ厚のガラス等の透光性基板２２ａを備えている。そして、曲面ミラー３２は、透光性基板３２ａの表面３２ｂにその曲面形状に沿った約１５μｍ厚のダイクロイックコート層３２Ｄが形成され、裏面３２ｃにその裏面形状に沿った内面を有するアルミコートされた光反射層３２Ｍを有している。
【００４０】
そして、ダイクロイックコート層３２Ｄは、図７に示すように、極小波長１１１ａの近傍でダイクロイックコート層２２Ｄの反射率が半減するカットオフ波長１３３となるような波長特性１３２を有するように設定されている。即ち、波長５００ｎｍより短い光が高透過率（反射率が０．５未満の低反射率）で、５００ｎｍより長波長側の光を０．５以上の高反射率となるような特性（いわゆるショートパスフィルタ）を有している。従って、ダイクロイックコート層３２Ｄは、第１ピーク波長λ１を有する青色光を透過し、第２ピーク波長λ２を有する黄色光を反射するようになり、光の波長によって、反射及び透過を選択可能な波長選択性を有している。
【００４１】
また、曲面ミラー３２は、図６（ｂ）で示すように、透光性基板３２ａの表面３２ｂにおいて、黄色光発光蛍光体２１Ｙから出射された黄色光がダイクロイックコート層３２Ｄで反射されたときに、その反射光３６が被照射部２４に集光するような曲面ミラー２２の表面２２ｂの曲率半径Ｒ１１を有している。このＲ１１は、例えば、１４．２ｍｍである。一方、図６（ａ）に示すように、青色光発光ＬＥＤチップ２１Ｂから出射された青色光は、ダイクロイックコート層３２Ｄを屈折、透過して、透光性基板３２ａの裏面３２ｃに形成される反射層３２Ｍで反射され、その反射光３５が被照射部２４を照射する。この場合、透光性基板３２ａの裏面３２ｃの曲率半径Ｒ１２は、図６（ａ）で示すように、反射光３５がほぼ平行光となるように設定されるが、例えば、１９．６ｍｍとすることができる。このように、透光性基板３２ａの表面３２ｂと裏面３２ｃとの曲率半径が同一となる場合には、シリンドリカルレンズ面の作成が容易となるので好適である。なお、この実施形態においては、透光性基板３２ａの表面３２ｂと裏面３２ｃとの曲率半径が同一の値に設定したが、これらの曲率半径において±１０％程度の差がある実質的に同一の場合であっても、同様の効果が得られることを確認している。
【００４２】
このように、この第３実施形態に係る照明光学系３０においては、曲面ミラー３２を使用し、この曲面ミラー３２の表面３２ｂにダイクロイックコート層３２Ｄ（第１の反射部）を形成し、曲面ミラー３２の裏面３２ｃに反射層３２Ｍ（第２の反射部）を形成し、ダイクロイックコート層３２Ｄとしてショートパスフィルタ特性を有する構成としている。さらに、曲面ミラー３２の表面３２ｂの曲率半径Ｒ１１を、青色光発光ＬＥＤチップ２１Ｂから出射された青色光がダイクロイックコート層３２Ｄを屈折、透過して、透光性基板３２ａの裏面３２ｃに形成される反射層３２Ｍで反射された反射光３５が平行光となるような曲率半径としているので、青色光を効率良く被照射部２４に照射可能となっている。このような曲面ミラー３２を使用することによって、青色光と黄色光をほぼ同等の照度として被照射部２４を照射することが可能となり、色ムラの発生を適切に抑制することが可能となる。
【００４３】
また、白色ＬＥＤ光源としては、青色光発光ＬＥＤを内包する表面実装型とレンズが装着された砲弾型のタイプがあるが、どちらのタイプであっても上記ダイクロイックコート層２２Ｄによる作用、効果を達成することが可能であり、両タイプで色ムラを低減できる。また、シリンドリカルレンズ面は自由曲面形状であっても良い。
【００４４】
また、この第３実施形態の照明光学系３０においては、白色ＬＥＤ光源として青色光を発光する青色光発光ＬＥＤチップ２１Ｂとこの青色光で励起されて黄色光を発光する黄色光発光蛍光体２１Ｙを使用したが、この白色ＬＥＤ光源に代えて、図４で示す高演色タイプの白色ＬＥＤ光源を使用しても、同様の作用、効果を得ることができる。
【００４５】
次に、本発明による第１実施形態に係る画像読取装置について、図８に基づいて説明する。図８は、本発明による第１実施形態に係る画像読取装置の概略構成を示す縦断面図である。なお、前述の実施形態と同一構成については、同一符号を付して説明を省略する。
【００４６】
この第１実施形態に係る画像読取装置は、図８に示すように、原稿等の被撮影体を載置する透明ガラス等からなるコンタクトガラス２３、被撮影体の被照射部２４に白色光を照射する照明光学系２０、被照射部２４からの反射光（読取光）（読取光軸４７として表示）を反射する第１ミラー４４ａ、第１ミラー４４ａによって反射された読取光４７を反射する第２ミラー４４ｂ、第２ミラー４４ｂによって反射された読取光４７を反射する第３ミラー４４ｃを備えている。さらにこの画像読取装置は、第３ミラー４４ｃによって反射された読取光４７をＣＣＤ（Ｃｈａｒｇｅ  Ｃｏｕｐｌｅｄ  Ｄｅｖｉｃｅ）等の撮像素子４６に結像させる縮小系レンズ（結像レンズ）４５を備えている。
【００４７】
照明光学系２０としては、前述の第１実施形態に係る照明光学系２０が使用されており、白色ＬＥＤ光源２１が主走査方向に支持部材２７によって支持されて複数個配列されている。また、曲面ミラー２２は、図８に示すように、副走査方向Ｂに曲面形状を有するシリンドリカル反射面を透光性基板２２ａの表面２２ｂと裏面２２ｃにそれぞれ有し、これらの表面２２ｂ及び裏面２２ｃに、それぞれダイクロイックコート層２２Ｄと反射層２２Ｍとを有している。そして、曲面ミラー２２は、支持部材２７に取り付けられた保持部材２８に保持され、前述の図２（ａ）、（ｂ）で説明したように、白色ＬＥＤ光源２１から出射された白色光が被照射部２４を照射し、被照射部２４からほぼ垂直に反射する読取光軸４７を有する反射光（読取光）を形成する。この場合、被照射部２４における被撮影体（図示せず）の読取ラインは、図８における紙面奥行き方向（主走査方向とよぶ）であり、白色ＬＥＤ光源２１で一括して照射されて撮像素子４６で一括して読み取られる。そして、この照明光学系２０は、第１ミラー４４ａと共に一点鎖線で表示した第１走行体４８として、副走査方向Ｂに移動、走査され、被撮影体の全面に亘って読取が行われる。
【００４８】
また、この場合に、第２ミラー４４ｂ及び第３ミラー４４ｃは、一点鎖線で表示した第２走行体４９として、第１走行体４８の移動速度の半分で移動させることで副走査方向Ｂにわたり原稿（被撮影体）を撮像素子４６に読み取らせるようになっている。この読取方式は差動ミラー方式と呼ばれる。原稿を読み取り中には、第１走行体４８、第２走行体４９、縮小系レンズ４５と撮像素子４６との位置関係が多少ずれるため、読取光４１に色ムラが発生していると同じ色のベタ原稿でも読み込んだ場所によって色が異なる画像データを作ってしまう問題がある。しかしながら、この第１実施形態に係る画像読取装置においては、前述のように、曲面ミラー２２は、表面２２ｂにダイクロイックコート層２２Ｄ、裏面２２ｃに反射層２２Ｍを有している。そして、白色ＬＥＤ光源２１からの放出された光のうち、青色光は曲面ミラー２２の表面のダイクロイックコート層２２Ｄで反射され、被照射部４３を照明する。このとき、この青色光の反射光２５（図２（ａ）参照）は、コリメート光に極めて近い光となる。一方、黄色光発光蛍光体２１Ｙ（図２（ｂ）参照）から発光された黄色光は、曲面ミラー２２の裏面側の反射層２２Ｍで反射され、被照射部２４を照射する。図２（ｂ）に図示したように黄色光の反射光２６の照明範囲は、集光されて青色光とほぼ同等であり、被照射範囲のなかで青色光と黄色光の割合が一定に近づく。その結果、色ムラの発生が抑制される。
【００４９】
なお、この第１実施形態に係る画像読取装置においては、照明光学系として第１実施形態に係る照明光学系２０で説明したが、第２実施形態等の他の実施形態に係る照明光学系も使用可能である。
【００５０】
次に、本発明による第２実施形態に係る画像読取装置について、図９及び図１０に基づいて説明する。図９は、本発明による第２実施形態に係る画像読取装置で使用される曲面ミラーの概略構成を示す縦断面図で、（ａ）は、表面にダイクロイックコート層を形成した透光性基板と、表面に反射層を形成した基板とに分解した曲面ミラーの分解断面図、（ｂ）は、（ａ）で示す透光性基板と基板を接合した曲面ミラーの断面図である。図１０は、本発明による第２実施形態に係る画像読取装置の概略構成を示す縦断面図である。なお、前述の実施形態と同一構成については、同一符号を付して説明を省略する。
【００５１】
この第２実施形態に係る画像読取装置は、前述の第１実施形態に係る画像読取装置と、曲面ミラーの加工方法を変更している。即ち、図９（ａ）に示すように、この第２実施形態の画像読取装置で使用される曲面ミラー５２としては、前述の第１実施形態に係る画像読取装置で使用された曲面ミラー２２と表面２２ａ及び裏面２２ｂの曲率半径と同一の曲率半径Ｒ１及びＲ２を有するシリンドリカル面形状の透光性基板５０aと、表面５１ｂに曲率半径Ｒ２を有するシリンドリカル面を有し、裏面５１ｃを平坦面とした基板５１ａとを使用している。そして、透光性基板５０ａの表面５０ｂに、前述の第１実施形態に係る画像読取装置で使用されたダイクロイックコート層２２Ｄと同一のダイクロイックコート層５２Ｄが形成されている。一方、基板５１ａの表面５１ｂには、アルミニウム蒸着膜からなる反射層５２Ｍが形成されており、図９（ｂ）に示すように、透光性基板５０ａの裏面５０ｃと基板５１ａの表面５１ｂに形成された反射層５２Ｍを透光性基板５０ａの屈折率に近い屈折率を有する透光性の接着剤で接合した曲面ミラー５２を形成している。この場合、基板５１ａは、透光性基板でも光を通さない材料であっても良い。しかし、周囲温度が変化したときに内部応力を極力発生させないためには、透光性基板５０ａと同一材料からなる透光性基板を用いることが望ましい。
【００５２】
このような曲面ミラー５２を使用した第２実施形態に係る画像読取装置は、図１０に示すように、前述の第１実施形態に係る画像読取装置と、曲面ミラーの支持部材２７への取り付け時に、保持部材２８を使用することなく、基板５１ａの裏面５１ｃを支持部材２７に、直接接着固定することが可能となり、曲面ミラーの支持部材２７への取り付けが容易となる利点を有する。
【００５３】
この第２実施形態に係る画像読取装置においては、前述の第１実施形態に係る照明光学系２０における曲面ミラー２２の変形例として説明したが、このような曲面ミラー５２は、第２及び第３実施形態に係る照明光学系で使用される曲面ミラーにおいても同様に使用できるものである。
【００５４】
また、この第２実施形態に係る画像読取装置においては、白色ＬＥＤ光源として青色光発光ＬＥＤと、黄色光発光蛍光体を使用した白色ＬＥＤ光源２１を使用したが、前述のような光演色タイプの白色ＬＥＤ２０２も同様に使用することができる。以下述べる各実施形態の画像読取装置においても同様である。
【００５５】
次に、本発明による第３実施形態に係る画像読取装置について、図１１に基づいて説明する。図１１は、本発明による第３実施形態に係る画像読取装置の概略構成を示す縦断面図である。なお、前述の実施形態と同一構成については、同一符号を付して説明を省略する。
【００５６】
この第３実施形態に係る画像読取装置は、前述の第２実施形態に係る画像読取装置とは、第１走行体７２中に、照明光学系２００、第１ミラー４４ａと共に移動走査する反射手段７１を取り付けた点において相違する。この反射手段７１は、読取光軸４７を挟んで曲面ミラー５２と対向して断面Ｌ字状の第２の支持部材７１ａによって保持された可視光を反射する反射鏡７１ｂを備えている。そして、反射鏡７１ｂは、白色ＬＥＤ光源２１から出射された光のうち、曲面ミラー５２には照射されずに図の右側に出射された光を反射して被照射部２４を照射するようになっている。従って、この画像読取装置においては、白色ＬＥＤ光源２１から出射された光のうち、一部は曲面ミラー５２で青色光と黄色光をそれぞれ個別の反射部２２Ｄ及び２２Ｍで反射させ、曲面ミラー５２には照射されずに図の右側に出射された光を反射手段７１の反射鏡７１ｂで反射させて、被照射部２４を曲面ミラー５２からの反射光と反射鏡７１ｂの２方向から照明するようになっている。白色ＬＥＤ光源２１からの配光特性は、Ｌａｍｂｅｒｔ分布に近い特性であり、光強度の強い領域は、曲面ミラー５２で効率良く被照射部２４に導くことができる。また、光強度は低いものの、前述の第２実施形態において無駄になっていた光線を利用できるため、光の利用効率が向上する。この場合、反射鏡７１ｂに照射される光量が比較的小さいことと、白色ＬＥＤ光源２１からの距離が曲面ミラー５２に比べて長いことから、反射鏡７１ｂによる色ムラの影響は小さい。
【００５７】
次に、本発明による第４実施形態に係る画像読取装置について、図１２に基づいて説明する。図１２は、本発明による第４実施形態に係る画像読取装置の概略構成を示す縦断面図である。なお、前述の実施形態と同一構成については、同一符号を付して説明を省略する。
【００５８】
この第４実施形態に係る画像読取装置は、前述の第３実施形態に係る画像読取装置とは反射鏡として、その反射面８１ａにシリンドリカル凹面を有する反射鏡８１を使用している。従って、反射鏡８１によって反射される反射光は、被照射部２４に集光することが可能となり、前述の第３実施形態の画像読取装置で使用される平坦な反射面を有する反射鏡に比べて光の利用効率をさらに向上させることができる。
【００５９】
次に、本発明による第５実施形態に係る画像読取装置について、図１３に基づいて説明する。図１３は、本発明による第５実施形態に係る画像読取装置の概略構成を示す縦断面図である。なお、前述の実施形態と同一構成については、同一符号を付して説明を省略する。
【００６０】
この第５実施形態に係る画像読取装置は、図１３に示すように、前述の第４実施形態に係る画像読取装置とは、反射鏡として、前述の第２実施形態で使用された曲面ミラー５２と同一構成の曲面ミラー９１を使用する点で相違する。即ち、曲面ミラー９１は、図１３に示すように、表面側反射面（第３の反射部）と内面反射面（第４の反射部）とを有するミラーである。表面側反射面は、前述のロングパスフィルタ、もしくはショートパスフィルタとなる誘電体多層膜が成膜されたダイクロイックコート層９１Ｄで形成され、また、内面反射面はアルミニウム蒸着層からなる反射層９１Ｍで形成されている。従って、例えば、ショートパスフィルタ特性を有するダイクロイックコート層９１Ｄからなる表面反射面であれば白色ＬＥＤ光源２１から出射される青色光を反射させ、一方、黄色光を反射する反射層９１Ｍを有する内面反射部で反射させることが可能となる。その結果、曲面ミラー９１で反射されて被照射部２４を照射する反射光は、曲面ミラー５２と共に、色ムラの発生が抑制された光となり、光の利用効率が向上するだけでなく、色ムラの発生も抑制されたものとなる。
【００６１】
次に、本発明による第６実施形態に係る画像読取装置について、図１４に基づいて説明する。図１４は、本発明による第６実施形態に係る画像読取装置の概略構成を示す縦断面図である。なお、前述の実施形態と同一構成については、同一符号を付して説明を省略する。
【００６２】
この第６実施形態に係る画像読取装置は、前述の第５実施形態に係る画像読取装置とは反射鏡に代えてもう１個の照明光学系２００Ｂを、読取光軸４７を挟んで配設している点で相違する。即ち、図１４に示すように、第６実施形態に係る画像読取装置は、白色ＬＥＤ光源２１Ａと曲面ミラー５２Ａとを有して白色ＬＥＤ光源２１Ａから出射された白色光を曲面ミラー５２Ａで反射して被照射部２４を照射する第１の照明光学系２００Ａを使用している。同時に、読取光軸４７を挟んで第１の照明光学系２００Ａと対向させて、白色ＬＥＤ光源２１Ｂと曲面ミラー５２Ｂとを有して白色ＬＥＤ光源２１Ｂから出射された白色光を曲面ミラー５２Ｂで反射して被照射部２４を照射する第２の照明光学系２００Ｂを使用している。
【００６３】
このように、第６実施形態に係る画像読取装置は、第１及び第２の照明光学系２００Ａ、２００Ｂを、読取光軸４７を挟んで対向配置させ、それぞれの照明光学系２００Ａ、２００Ｂで照射された被照射部２４の反射読取光を読取光軸上に形成するようにしているので、被撮影体の被照射部２４の照度を高くすることが容易な照明方式となる。このような高照度な照明系であるがゆえに色ムラが顕著になりやすい。しかしながら、この第６実施形態の画像読取装置においては、照明光学系２００Ａ、２００Ｂにおいて、前述のような曲率半径Ｒ１及びＲ２を有する表面５０ｂに前述のような光学特性を有するダイクロイックコート層５２Ｄを形成しているので、色ムラの発生を抑制することが可能となる。このような高照度な照明を使用することによって、色ムラが低減された高速で高品位な画像読取装置を提供することが可能となる。
【００６４】
また、本発明は前記実施形態に限定されず、本発明の技術思想の範囲内において、前記実施形態の中で示唆した以外にも、前記実施形態は適宜変更され得ることは明らかである。また、前記構成部材の数、位置、形状等は前記実施形態に限定されず、本発明を実施する上で好適な数、位置、形状等にすることができる。
【符号の説明】
【００６５】
１１Ｂ、２１Ｂ    青色光発光ＬＥＤチップ
１１Ｙ、２１Ｙ    黄色光発光蛍光体
１２、２２、３２、５２、５２Ａ、５２Ｂ、９１    曲面ミラー
１３Ｂ、２５、３５    青色反射光
１３Ｙａ、１３Ｙｂ、１３Ｙｃ、２６、３６    黄色反射光
１４、２４        被照射部
１５Ｂ            青色光の照度分布
１５Ｙ            黄色光の照度分布
２０、３０、２００Ａ、２００Ｂ    照明光学系
２１、２１Ａ、２１Ｂ          白色ＬＥＤ光源
２２ａ、５０ａ    透光性基板
２２ｂ、５０ｂ    表面
２２ｃ、５０ｃ    裏面
２２Ｄ、３２Ｄ、５２Ｄ、９１Ｄ    ダイクロイックコート層
２２Ｍ、３２Ｍ、５２Ｍ、９１Ｍ    反射層
２３              コンタクトガラス
２４              被照射部
２５、３５        青色反射光
２６、３６        黄色反射光
２７              支持部材
２８              保持部材
４４ａ            第１ミラー
４４ｂ            第２ミラー
４４ｃ            第３ミラー
４５              縮小系レンズ
４６              撮像素子
４７              読取光軸
５１ａ            基板
５１ｂ            表面
５１ｃ            裏面
７１              反射手段
７１ａ            支持部材
７１ｂ、８１      反射鏡
８１ａ            反射面
１１１、１１２    発光スペクトル
１１１ａ、１１２ａ        極小波長
１１２、１２２、１３２    波長特性
１１３、１２３、１３３    カットオフ波長
２０１            白色ＬＥＤ光源
２０２ａ          樹脂パッケージ
２０２Ｂ          青色光発光ＬＥＤチップ
２０２Ｇ          緑色光発光蛍光体
２０２Ｒ          赤色光発光蛍光体
２０２ｂ          発光面
【先行技術文献】
【特許文献】
【００６６】
【特許文献１】特開２００９−１７５３２０号公報
【特許文献２】特開２００２−１４２０８２号公報
【図１】
2011193205.tif 000003
【図３】
2011193205.tif 000004
【図４】
2011193205.tif 000005
【図５】
2011193205.tif 000006
【図７】
2011193205.tif 000007
【図８】
2011193205.tif 000008
【図９】
2011193205.tif 000009
【図１０】
2011193205.tif 000010
【図１１】
2011193205.tif 000011
【図１２】
2011193205.tif 000012
【図１３】
2011193205.tif 000013
【図１４】
2011193205.tif 000014
【図１５】
2011193205.tif 000015
【図２】
2011193205.tif 000016
【図６】
2011193205.tif 000017